(57)【要約】【課題】ジュースの収集効率を向上する。【解決手段】駆動手段を備えた本体１と、本体１に着脱可能に装着され、その内部を筒状の仕切壁１６によって内側のジュース案内部６と外側のカス受部７とに区画した区画容器５と、区画容器５の仕切壁１６内に配置されるとともに、駆動手段の出力軸２ａに着脱可能に装着され、該駆動手段による回転により投入された食材をカッター２５により摺り下ろすとともにフィルター２６によりジュースとカスとに分離する調製部材２３と、区画容器５を閉塞する蓋体２８と、区画容器５のジュース案内部６から注出されるジュースを受けるジュース容器３８とを備えたジューサーにおいて、区画容器５におけるカス受部７の底に、ジュース案内部６に連通する連通部を設けた構成とする。または、仕切壁１６の上部に、内向きに突出する環状リブ１９を設けた構成とする。【選択図】  図１
2004248747.tif 000002
【特許請求の範囲】
【請求項１】
駆動手段を備えた本体と、
前記本体に着脱可能に装着され、その内部を筒状の仕切壁によって内側のジュース案内部と外側のカス受部とに区画した区画容器と、
前記区画容器の仕切壁内に配置されるとともに、前記駆動手段の出力軸に着脱可能に装着され、該駆動手段による回転により投入された食材をカッターにより摺り下ろすとともにフィルターによりジュースとカスとに分離する調製部材と、
前記区画容器を閉塞する蓋体と、
前記区画容器のジュース案内部から注出されるジュースを受けるジュース容器とを備えたジューサーにおいて、
前記区画容器におけるカス受部の底に、前記ジュース案内部に連通する連通部を設けたことを特徴とするジューサー。
【請求項２】
前記仕切壁は、断面略Ｊ字形状の筒状部材からなる前記区画容器本体と別体に形成された断面略Ｌ字形状の筒状部材からなり、
前記容器本体に内向きに突出するロック部を設け、前記仕切壁に前記ロック部を挿通する切欠部を設けるとともに、該切欠部の近傍に前記ロック部にロックする被ロック部を設け、前記切欠部により前記連通部を構成するようにしたことを特徴とする請求項１に記載のジューサー。
【請求項３】
駆動手段を備えた本体と、
前記本体に着脱可能に装着され、その内部を筒状の仕切壁によって内側のジュース案内部と外側のカス受部とに区画した区画容器と、
前記区画容器の仕切壁内に配置されるとともに、前記駆動手段の出力軸に着脱可能に装着され、該駆動手段による回転により投入された食材をカッターにより摺り下ろすとともにフィルターによりジュースとカスとに分離する調製部材と、
前記区画容器を閉塞する蓋体と、
前記区画容器のジュース案内部から注出されるジュースを受けるジュース容器とを備えたジューサーにおいて、
前記仕切壁の上部に、内向きに突出する環状リブを設けたことを特徴とするジューサー。
【発明の詳細な説明】
【０００１】
【発明の属する技術分野】
本発明は、果物や野菜などの食材をジュースとカスとに分離するジューサーに関するものである。
【０００２】
【従来の技術】
従来のジューサーは、駆動手段を備えた本体と、該本体に着脱可能に装着される区画容器と、該区画容器内に配置される調製部材と、前記区画容器を閉塞する蓋体と、前記区画容器から注出されるジュースを受けるジュース容器とを備えている。
【０００３】
前記区画容器は、その内部に環状の仕切壁が設けられ、仕切壁内のジュース案内部と仕切壁外のカス受部とに区画されている。また、前記調製部材は、前記区画容器における仕切壁の内部に配設されるもので、その底面に果物や野菜などの食材を摺り下ろすカッターが設けられるとともに、該カッターの周囲から上向きに広がるように逆円錐台形筒状に突出するフィルターが設けられている。
【０００４】
このように構成されたジューサーは、区画容器における上部の食材投入通路から前記調製部材内に食材が押し込まれると、まず、駆動手段による回転で食材をカッターで摺り下ろす。これにより、この摺り下ろされた食材は、フィルターにおいて、ジュースとカスとに分離され、ジュースはフィルターに設けた多数の孔を通ってジュース案内部に流入し、カスはフィルターの上端からカス受部に飛散される。また、前記ジュース案内部に流入したジュースは、ジュース容器へと案内される。
【０００５】
なお、本発明のジューサーに関連する先行技術文献情報としては次のものがある。
【０００６】
【特許文献１】
実開昭５０−２７１９３号公報
【０００７】
【発明が解決しようとする課題】
しかしながら、従来のジューサーでは、カス受部に多くのジュースが飛散され、カス受部にジュースが残留するため、その収集効率が悪いという問題がある。
【０００８】
そこで、本発明では、ジュースの収集効率を向上できるジューサーを提供することを課題とするものである。
【０００９】
【課題を解決するための手段】
前記課題を解決するため、本発明の第１のジューサーは、駆動手段を備えた本体と、前記本体に着脱可能に装着され、その内部を筒状の仕切壁によって内側のジュース案内部と外側のカス受部とに区画した区画容器と、前記区画容器の仕切壁内に配置されるとともに、前記駆動手段の出力軸に着脱可能に装着され、該駆動手段による回転により投入された食材をカッターにより摺り下ろすとともにフィルターによりジュースとカスとに分離する調製部材と、前記区画容器を閉塞する蓋体と、前記区画容器のジュース案内部から注出されるジュースを受けるジュース容器とを備えたジューサーにおいて、前記区画容器におけるカス受部の底に、前記ジュース案内部に連通する連通部を設けた構成としている。
【００１０】
この種の構成からなるジューサーでは、食材は、まず、調製部材のカッターにより摺り下ろされた後、その調製部材の遠心力によって外側に飛散され、フィルターに衝突する。そして、摺り下ろされた実は、前記調製部材の回転による風圧で圧縮され、含んだジュースをフィルターを通してジュース案内部に絞り出される。また、ジュースを絞り出されたカスは、フィルターに沿って遠心力で上昇し、カス受部に飛散される。
【００１１】
前記第１のジューサーによれば、未だジュースを含んだカスがカス受部に飛散して収容された場合、そのカスからジュースが自重によって滴下する。そして、そのジュースは、カス受部の底に設けた連通部からジュース案内部へと流入するため、収集効率を向上することができる。
【００１２】
このジューサーでは、前記仕切壁は、断面略Ｊ字形状の筒状部材からなる前記区画容器本体と別体に形成された断面略Ｌ字形状の筒状部材からなり、前記容器本体に内向きに突出するロック部を設け、前記仕切壁に前記ロック部を挿通する切欠部を設けるとともに、該切欠部の近傍に前記ロック部にロックする被ロック部を設け、前記切欠部により前記連通部を構成することが好ましい。このようにすれば、区画容器の清掃性を向上できるうえ、簡単な構成でカス受部に収容されたジュースをジュース案内部へ流入させることができる。
【００１３】
また、本発明の第２のジューサーは、駆動手段を備えた本体と、前記本体に着脱可能に装着され、その内部を筒状の仕切壁によって内側のジュース案内部と外側のカス受部とに区画した区画容器と、前記区画容器の仕切壁内に配置されるとともに、前記駆動手段の出力軸に着脱可能に装着され、該駆動手段による回転により投入された食材をカッターにより摺り下ろすとともにフィルターによりジュースとカスとに分離する調製部材と、前記区画容器を閉塞する蓋体と、前記区画容器のジュース案内部から注出されるジュースを受けるジュース容器とを備えたジューサーにおいて、前記仕切壁の上部に、内向きに突出する環状リブを設けた構成としている。
【００１４】
この第２のジューサーによれば、フィルターにより絞られたジュースが調製部材の回転による遠心力および風圧によって上昇しても、その上昇が環状リブにより抑制されるため、仕切壁とフィルターとの間を通ってカス受部に飛散されることを防止できる。その結果、一旦、ジュース案内部に収容されたジュースは、該ジュース案内部内に確実に保持されるため、収集効率を向上することができる。
【００１５】
【発明の実施の形態】
以下、本発明の実施の形態を図面に従って説明する。
図１から図５は、本発明の実施形態に係るジューサーを示す。このジューサーは、図１に示すように、大略、本体１と、区画容器５と、調製部材２３と、蓋体２８と、ジュース容器３８と、食材押込部材４１とからなる。
【００１６】
前記本体１は、その外装体の内部に駆動手段としてモータ２を配設したものである。このモータ２は、その出力軸２ａが本体１の上端から突出され、その突出部に後述する調製部材２３を着脱可能に装着するための装着部材３が取り付けられている。また、本体１の正面下部には、ジュース容器３８の受台部４が設けられている。
【００１７】
前記区画容器５は、前記本体１に着脱可能に装着され、その内部を仕切壁１６によって内側のジュース案内部６と外側のカス受部７とに区画したものである。具体的には、図２から図４に示すように、本実施形態の区画容器５は、断面略Ｊ字形状の筒状部材からなる区画容器本体８と、該区画容器本体８の内部に着脱可能に装着される断面略Ｌ字形状の筒状部材からなる別体の仕切壁１６とからなる。
【００１８】
前記区画容器本体８は、円筒状をなす外壁９の下端に、下向きに傾斜する底壁１０を一体に設けたものである。前記外壁９の下部には、内向きに突出し、その上面が水平面を構成する段部１１が設けられている。また、外壁９には、仕切壁１６を装着する際に定位置にガイドするとともにロックするロック部１２Ａ，１２Ｂ，１２Ｃが１２０度間隔で内向きに突設されている。そのうち、正面側に位置するロック部１２Ａ，１２Ｃは、前記段部１１から所定間隔をもった上部から上向きに延びるように設けられ、その上部には幅方向の中央に向けて傾斜する斜部１２ａが形成されている。また、背面側に位置するロック部１２Ｂは、後述する蓋体２８を構成する内蓋２９を位置決めする機能を兼用するもので、前記段部１１から所定間隔をもった上部から側壁の上端まで延びるように矩形状に設けられている。前記底壁１０は、その中央に本体１から突出したモータ２の装着部材３を挿通する断面凸形状の筒部１３を設けたものである。この底壁１０において、最下端に位置する正面側端部には、注出孔１４が設けられるとともに、その周囲から下向きに突出する注出ノズル部１５が設けられている。なお、前記筒部１３は、図４に示すように、分離したジュースが溜まる正面側が内向きに窪む形状とされている。
【００１９】
前記仕切壁１６は、区画容器５の内壁を構成する円筒部１７の下端に、外向きに突出するフランジ部１８を一体に設けた断面Ｌ字形状のものである。前記円筒部１７の上端には、内向きに突出する環状リブ１９が設けられている。前記フランジ部１８の外周縁には、前記ロック部１２Ａ〜１２Ｃを挿通する切欠部２０が設けられるとともに、該切欠部２０における反時計回りの方向の近傍に上向きに傾斜する斜面と上向きに突出する係止段部とからなる被ロック部２１が設けられている。また、フランジ部１８の下面には、前記段部１１上に載置して所定の隙間を形成するための突部２２が設けられている。
【００２０】
前記構成の区画容器５は、区画容器本体８内に仕切壁１６を装着することにより、仕切壁１６の円筒部１７の内側と区画容器本体８における段部１１の下側の領域からなる前記ジュース案内部６と、仕切壁１６の円筒部１７およびフランジ部１８の外側と区画容器本体８の外壁９で囲まれた領域からなる前記カス受部７が形成される。そして、本実施形態では、前記仕切壁１６に形成した切欠部２０により、カス受部７とジュース案内部６とが連通する構成としている。言い換えれば、カス受部７の底（フランジ部１８）には、ジュース案内部６に連通させるために切欠部２０からなる連通部が形成されている。
【００２１】
前記調製部材２３は、前記区画容器５における仕切壁１６内に配置し、前記モータ２の出力軸２ａに装着部材３を介して着脱可能に装着されるものである。この調製部材２３は、図１および図２に示すように、装着部材３に装着するための装着用台座部２４と、該装着用台座部２４の上面に配設したカッター２５と、前記装着用台座部２４の周囲から逆円錐台形筒状に突出するフィルター２６と、該フィルター２６の上端縁に装着した安全カバー２７とからなる。前記カッター２５は金属製であり、所定間隔をもって放射状に突出する刃部２５ａを備えている。前記フィルター２６は金属製であり、所定間隔をもって穿設した多数の通孔２６ａを備えている。
【００２２】
前記蓋体２８は、図２および図５に示すように、透明な樹脂からなる内蓋２９と、不透明な樹脂からなるカバー３３とからなる。
【００２３】
前記内蓋２９は、前記区画容器５の上端開口を閉塞する上向きに膨出した皿形状のもので、前記ロック部Ｂに嵌合する凹部２９ａを備えている。この内蓋２９の正面側には、上向きに突出する平面視円弧状の窓部３０が形成されている。また、この内蓋２９には、その略中央に前記調製部材２３の内部から外部にかけて延びる筒状の食材投入通路３１が形成されている。この食材投入通路３１は、上方に突出する部分３１ａが平面視円形状をなし、下方に突出する部分３１ｂが円の一部（背部）を内向きに円弧状に窪ませた形状をなしている。また、この食材投入通路３１の背面側上端には、内向きに窪む位置決め凹部３２が設けられている。この位置決め凹部３２は、背面視で略逆三角形状をなす。
【００２４】
前記カバー３３は、前記区画容器５の外側から前記内蓋２９の略全周囲にかけて覆う略凸形状をなす筒状のもので、その前後方向の中央には外向きに突出する前記本体１へのロック部３４が設けられている。このカバー３３には、前記内蓋２９の窓部３０に対応する開口部３５が設けられ、この開口部３５から前記窓部３０を介して内部を透視できるように構成されている。また、カバー３３には、前記食材投入通路３１における外部に露出した上側部分３１ａを覆う円筒形状の被覆部３６が設けられている。この被覆部３６は、その上端が前記食材投入通路３１の上側部分３１ａの上端より同一高さ以下に位置するように形成されている。言い換えれば、前記食材投入通路３１の上側部分３１ａの上端は、被覆部３６の上端と同一高さ以上に位置するように形成されている。また、前記被覆部３６には、前記位置決め凹部３２に嵌る背面視で逆三角形状の位置決め凸部３７が設けられている。
【００２５】
前記ジュース容器３８は、図１に示すように、上端開口を閉塞する蓋３９を備え、前記本体１の受台部４に着脱可能に装着するものである。前記蓋３９には、本体１に装着した区画容器５における注出ノズル部１５に対応する流入口４０が設けられている。
【００２６】
前記食材押込部材４１は、前記食材投入通路３１における下側部分３１ｂと同一形状をなし、その上部に前記被覆部３６を覆う大きさの操作部４２を設けたものである。
【００２７】
このように構成されたジューサーは、電源コードを商用電源に接続し、本体１の表面に設けた図示しない操作パネルのスイッチを操作することにより、前記調製部材２３が区画容器５の内部で回転する。
【００２８】
そして、ユーザは、食材投入通路３１の入口から食材を投入し、食材押込部材４１により下向きに押し込むことにより、その食材を調製部材２３によってジュースとカスとに分離する。具体的には、食材は、まず、調製部材２３のカッター２５により摺り下ろされる。その後、カッター２５と食材投入通路３１の下端との隙間から遠心力によって外側に飛散され、フィルター２６に衝突する。これにより、摺り下ろされた実は、調製部材２３の回転による風圧で圧縮され、含んだジュースが通孔２６ａを通してジュース案内部６に絞り出される。また、ジュースが絞り出されたカスは、フィルター２６の傾斜に沿って上昇してカス受部７に飛散される。
【００２９】
この際、カス受部７に収容されたカスの中には、完全にジュースが絞り出されてなく、未だジュースを含んだものが多く存在する。そして、そのジュースは、自重によってカス受部７の底に滴下する。その後、そのジュースは、カス受部７の底（フランジ部１８）に設けた連通部を構成する切欠部２０からジュース案内部６へと流入する。
【００３０】
また、ジュース案内部６に収容されたジュースは、飛散された際の遠心力により仕切壁１６の内面に付着する。そして、その付着したジュースの中には、調製部材２３の回転による遠心力と風圧によって仕切壁１６を伝って上昇するものが存在する。しかし、その上昇したジュースは、仕切壁１６に設けた環状リブ１９により、その上昇が抑制されるため、仕切壁１６とフィルター２６との間を通ってカス受部７へ飛散されることを防止できる。
【００３１】
このように、本実施形態のジューサーでは、カス受部７に収容されたジュースをジュース案内部６へ導入させることができるうえ、ジュース案内部６に収容したジュースを確実に保持することができる。そのため、ジュースの収集効率を大幅に向上することができる。
【００３２】
さらに、本実施形態では、区画容器５を別体の区画容器本体８と仕切壁１６とで構成しているため、使用後に清掃する際の作業性を向上することができる。しかも、ジュース案内部とカス受部７とを連通させる連通部は、区画容器本体８と仕切壁１６との取付構造を利用しているため、構造を複雑としてコスト高にすることなく実施することができる。
【００３３】
なお、本発明のジューサーは、前記実施形態の構成に限定されるものではなく、種々の変更が可能である。
【００３４】
例えば、前記実施形態では、ジュース案内部６とカス受部７とを連通させる連通部を、区画容器本体８と仕切壁１６との取付構造である切欠部２０を兼用することにより構成したが、図６に示すように、専用の連通部４５を設けてもよい。なお、この変形例では、仕切壁１６の円筒部１７の基部に外向きに膨出する膨出部４５ａを設け、該膨出部４５ａに複数のスリット４５ｂを並設した構成としている。
【００３５】
【発明の効果】
以上の説明から明らかなように、本発明のジューサーでは、区画容器におけるカス受部の底に、ジュース案内部に連通する連通部を設けているため、未だジュースを含んだカスがカス受部に飛散しても、そのジュースを連通部からジュース案内部へと流入させることができる。また、仕切壁の上部に、内向きに突出する環状リブを設けているため、調製部材の回転による風圧で仕切壁に付着したジュースが上昇しても前記環状リブに抑制し、仕切壁の上端からカス受部へ飛散されることを防止できる。そのため、ジュースの収集効率を大幅に向上することができる。
【図面の簡単な説明】
【図１】本発明の実施形態に係るジューサーを示す断面図である。
【図２】本体に装着する各構成部品を示す分解斜視図である。
【図３】区画容器を構成する区画容器本体と仕切壁とを分離した状態を示す断面図である。
【図４】区画容器を示す平面図である。
【図５】蓋体を構成する内蓋とカバーとを分離した状態を示す断面図である。
【図６】ジューサーの変形例を示す分解斜視図である。
【符号の説明】
１…本体、２…モータ（駆動手段）、２ａ…出力軸、５…区画容器、６…ジュース案内部、７…カス受部、８…区画容器本体、９…外壁、１０…底壁、１２Ａ〜１２Ｃ…ロック部、１５…注出ノズル部、１６…仕切壁、１９…環状リブ、２０…切欠部、２１…被ロック部、２３…調製部材、２５…カッター、２６…フィルター、２８…蓋体、２９…内蓋、３１…食材投入通路、３３…カバー、３４…ロック部、３８…ジュース容器、４１…食材押込部材。
【図１】
2004248747.tif 000003
【図２】
2004248747.tif 000004
【図３】
2004248747.tif 000005
【図４】
2004248747.tif 000006
【図５】
2004248747.tif 000007
【図６】
2004248747.tif 000008